(57)【要約】【課題】家族の生活状況を外部から確認でき、利便性を向上させることができるドアホンシステおよび通信方法の提供に資すること。【解決手段】公衆網を介して第１のドアホン装置と第２のドアホン装置と通信端末とが互いに接続されるドアホンシステムであって、前記第１のドアホン装置は、玄関扉の近傍に配置される第１の玄関子機と、建物の内部に配置され、前記第１の玄関子機と通信を行う第１の室内親機と、を含み、前記第１の室内親機は、前記建物の内部を撮影するカメラと、前記第１の玄関子機から取得する画像を表示する表示部と、前記第２のドアホン装置および前記通信端末を通信相手として登録する登録部と、前記登録部により登録された通信相手に対して、前記第１の玄関子機から取得する画像と前記カメラが撮影した画像との少なくともいずれかを含むデータを、前記公衆網を介して送信する通信部と、を備える。【選択図】図２
2019146234.tif 000002
【特許請求の範囲】
【請求項１】
公衆網を介して第１のドアホン装置と第２のドアホン装置と通信端末とが互いに接続されるドアホンシステムであって、
前記第１のドアホン装置は、
玄関扉の近傍に配置される第１の玄関子機と、
建物の内部に配置され、前記第１の玄関子機と通信を行う第１の室内親機と、
を含み、
前記第１の室内親機は、
前記建物の内部を撮影するカメラと、
前記第１の玄関子機から取得する画像を表示する表示部と、
前記第２のドアホン装置および前記通信端末を通信相手として登録する登録部と、
前記登録部により登録された通信相手に対して、前記第１の玄関子機から取得する画像と前記カメラが撮影した画像との少なくともいずれかを含むデータを、前記公衆網を介して送信する通信部と、
を備える、
ドアホンシステム。
【請求項２】
前記第１の室内親機の登録部により通信相手として登録された前記第２のドアホン装置および前記通信端末は、前記第１の室内親機の通信部が送信する前記データを受信して、前記第２のドアホン装置および前記通信端末の備える表示部に前記データに含まれる画像を表示する、
請求項１に記載のドアホンシステム。
【請求項３】
前記第１の室内親機の通信部は、前記登録された通信相手に対して、応対記録を含むデータを、前記公衆網を介して送信し、
前記第１の室内親機の登録部により通信相手として登録された前記第２のドアホン装置および前記通信端末は、前記第１の室内親機の通信部が送信する前記データを受信して、前記第２のドアホン装置および前記通信端末の備える表示部に前記データに含まれる応対記録を表示する、
請求項１に記載のドアホンシステム。
【請求項４】
前記第１の室内親機の通信部は、前記登録された通信相手に対して、前記建物の内部に設けられたセンサから取得するセンサ情報を含むデータを、前記公衆網を介して送信し、
前記第１の室内親機の登録部により通信相手として登録された前記第２のドアホン装置および前記通信端末は、前記第１の室内親機の通信部が送信する前記データを受信して、前記第２のドアホン装置および前記通信端末の備える表示部に前記データに含まれるセンサ情報を表示する、
請求項１に記載のドアホンシステム。
【請求項５】
前記第１の室内親機の通信部は、前記登録された通信相手からの要求信号を受信した場合に、前記データを、前記公衆網を介して送信する、
請求項１〜４のいずれかに記載のドアホンシステム。
【請求項６】
前記第２のドアホン装置は、
玄関扉の近傍に配置される第２の玄関子機と、
建物の内部に配置され、前記第２の玄関子機と通信を行う第２の室内親機と、
を含み、
前記第２の室内親機は、
前記建物の内部を撮影するカメラと、
前記第２の玄関子機から取得する画像を表示する表示部と、
前記第１のドアホン装置および前記通信端末を通信相手として登録する登録部と、
前記登録部により登録された通信相手に対して、前記第２の玄関子機から取得する画像と前記カメラが撮影した画像との少なくともいずれかを含むデータを、前記公衆網を介して送信する通信部と、
を備え、
前記第２のドアホン装置は、
カメラと、前記カメラが撮影した画像を含むビデオ通話データを、前記公衆網を介して通信相手に送信する通信部と、を備えた第２の室内親機を含み、
前記第１の室内親機の通信部は、前記登録された通信相手に対して、ビデオ通話データを、前記公衆網を介して送信し、
前記第１の室内親機の登録部により通信相手として登録された前記第２のドアホン装置および前記通信端末は、前記第１の室内親機の通信部が送信する前記ビデオ通話データを受信して、前記第２のドアホン装置および前記通信端末の備える表示部に前記ビデオ通話データに含まれる画像を表示して、前記第１のドアホン装置との間でビデオ通話を行う、
請求項１に記載のドアホンシステム。
【請求項７】
前記表示部は、前記登録部が登録した通信相手を選択可能に表示する、
請求項１に記載のドアホンシステム。
【請求項８】
前記第１の室内親機は、前記通信相手との間でビデオ通話を行っているときに、前記第１の玄関子機から呼出しを受けると、前記ビデオ通話を終了し前記第１の玄関子機との通話を開始する、
請求項６に記載のドアホンシステム。
【請求項９】
前記第１の室内親機は、前記通信相手との間でビデオ通話を行っているときに、前記第１の玄関子機から呼出しを受けると、前記呼出しがあった旨を前記表示部に表示する、
請求項６に記載のドアホンシステム。
【請求項１０】
前記呼出しがあった旨は、ピクト表示または前記第１の玄関子機から取得した画像である、
請求項９に記載のドアホンシステム。
【請求項１１】
公衆網を介して第１のドアホン装置と第２のドアホン装置と通信端末とが互いに接続されるドアホンシステムにおける通信方法であって、
前記第１のドアホン装置の室内親機が、
建物の内部をカメラで撮影するステップと、
画像を表示部に表示するステップと、
通信相手を登録するステップと、
前記登録された通信相手に対して、第１の玄関子機から取得する画像と前記カメラが撮影した画像との少なくともいずれかを含むデータを、前記公衆網を介して送信するステップと、
を行い、
前記通信相手として登録された前記第２のドアホン装置および前記通信端末が、
前記データを受信するステップと、
前記データに含まれる画像を表示するステップと、
を行う、
通信方法。
【発明の詳細な説明】
【技術分野】
【０００１】
本開示は、ドアホンシステムおよび通信方法に関する。
【背景技術】
【０００２】
従来、玄関への来訪者の確認を、玄関扉の近傍に配置された玄関子機を介して、室内の室内親機から行う事ができるドアホンシステムが、広く普及している。また、近年、室内親機に通信機能を設け、来訪者の確認をスマートフォン等の携帯可能な通信端末から行う技術が注目されている。
【０００３】
例えば、特許文献１には、玄関子機を介した来訪者の呼出操作に応じて、親機を介して、玄関子機と通信端末とを接続し、通信端末による来訪者への対応を通信端末から行うインターホンシステムが開示されている。
【先行技術文献】
【特許文献】
【０００４】
【特許文献１】特開２０１１−１３５２２１号公報
【発明の概要】
【発明が解決しようとする課題】
【０００５】
しかしながら、特許文献１に開示されるインターホンシステムには、利便性の面で改善の余地がある。例えば、近年、夫婦とその子供のみが同居する核家族化の進行、および、夫婦が共に仕事に従事する共働きの世帯の増加に伴い、家族の生活状況（例えば、別の住居に住む祖父母の様子、および、留守番中の子供の様子）を外部から確認したいという要求が増えてきている。
【０００６】
本開示の非限定的な実施例は、家族の生活状況を外部から確認でき、利便性を向上させることができるドアホンシステムの室内親機、ドアホンシステム、および、通信方法の提供に資する。
【課題を解決するための手段】
【０００７】
本開示の一態様に係るドアホンシステムは、公衆網を介して第１のドアホン装置と第２のドアホン装置と通信端末とが互いに接続されるドアホンシステムであって、前記第１のドアホン装置は、玄関扉の近傍に配置される第１の玄関子機と、建物の内部に配置され、前記第１の玄関子機と通信を行う第１の室内親機と、を含み、前記第１の室内親機は、前記建物の内部を撮影するカメラと、前記第１の玄関子機から取得する画像を表示する表示部と、前記第２のドアホン装置および前記通信端末を通信相手として登録する登録部と、前記登録部により登録された通信相手に対して、前記第１の玄関子機から取得する画像と前記カメラが撮影した画像との少なくともいずれかを含むデータを、前記公衆網を介して送信する通信部と、を備える。
【０００８】
本開示の一態様に係る通信方法は、公衆網を介して第１のドアホン装置と第２のドアホン装置と通信端末とが互いに接続されるドアホンシステムにおける通信方法であって、前記第１のドアホン装置の室内親機が、建物の内部をカメラで撮影するステップと、画像を表示部に表示するステップと、通信相手を登録するステップと、前記登録された通信相手に対して、第１の玄関子機から取得する画像と前記カメラが撮影した画像との少なくともいずれかを含むデータを、前記公衆網を介して送信するステップと、を行い、前記通信相手として登録された前記第２のドアホン装置および前記通信端末が、前記データを受信するステップと、前記データに含まれる画像を表示するステップと、を行う。
【０００９】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１０】
本開示の一態様によれば、家族の生活状況を外部から確認でき、利便性を向上させることができる。
【００１１】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】本開示の一実施の形態に係るドアホンシステムの構成の一例を示すシステム構成図
【図２】本開示の一実施の形態に係る室内親機の構成の一例を示すブロック図
【図３】本開示の一実施の形態に係る玄関子機の構成の一例を示すブロック図
【図４】玄関子機からの呼出しに対する切替え動作の第１の例を示すシーケンス図
【図５】玄関子機からの呼出しに対する切替え動作の第２の例を示すシーケンス図
【図６】玄関子機からの呼出しに対する切替え動作の第３の例を示すシーケンス図
【発明を実施するための形態】
【００１３】
以下、本開示の実施の形態について、図面を参照して詳細に説明する。なお、以下に説明する実施の形態は一例であり、本開示は以下の実施の形態により限定されるものではない。
【００１４】
＜ドアホンシステムの概要＞
まず、本開示の一実施の形態に係るドアホンシステムの概要について説明する。
【００１５】
図１は、本実施の形態に係るドアホンシステム１００の構成の一例を示すシステム構成図である。ここでは、システム構成の周辺の環境についても併せて図示している。
【００１６】
図１には、建物Ａに備えられるドアホンシステム１００Ａと、建物Ｂに備えられるドアホンシステム１００Ｂとが示される。ドアホンシステム１００Ａとドアホンシステム１００Ｂとは、公共網５００を介して接続される。
【００１７】
ドアホンシステム１００Ａは、建物Ａの室内に配置される室内親機２００Ａと、建物Ａの玄関扉の近傍に配置される玄関子機３００Ａと、を有する。ドアホンシステム１００Ｂは、建物Ｂの室内に配置される室内親機２００Ｂと、建物Ｂの玄関扉の近傍に配置される玄関子機３００Ｂと、を有する。
【００１８】
室内親機２００Ａは、玄関子機３００Ａと有線ケーブルによって接続される。なお、室内親機２００Ａは、玄関子機３００Ａと無線接続されても良い。室内親機２００Ｂは、玄関子機３００Ｂと有線ケーブルによって接続される。なお、室内親機２００Ｂは、玄関子機３００Ｂと無線接続されても良い。
【００１９】
室内親機２００Ａは、建物Ａの室内に配置される無線ルータ４００Ａを介して、インターネット等の公共網５００に接続する。室内親機２００Ｂは、建物Ｂの室内に配置される無線ルータ４００Ｂを介して、公共網５００に接続する。
【００２０】
また、公共網５００には、持ち出し可能なスマートフォン６００が接続されている。スマートフォン６００は、公共網５００を介して、室内親機２００Ａおよび室内親機２００Ｂと接続する。
【００２１】
スマートフォン６００は、スピーカ、タッチパネル付き液晶ディスプレイ、マイクロフォン（以下、マイク）、端末モニターボタン、および、端末通話ボタンを備えている。なお、これらのボタンは、例えば、タッチパネル付き液晶ディスプレイに表示される画像ボタンである。スマートフォン６００は、例えば、建物Ａの居住者および建物Ｂの居住者が所有するスマートフォンである。なお、持ち出し可能であり、公共網５００と接続できる通信端末であれば、スマートフォンに限定されない。
【００２２】
また、室内親機２００Ａは、建物Ａに設置されるセンサ７００（７００Ａ）と無線接続し、センサ７００Ａが検知する情報を取得する。室内親機２００Ｂは、建物Ｂに設置されるセンサ７００（７００Ｂ）と無線接続し、センサ７００Ｂが検知する情報を取得する。建物に設置されるセンサ７００とは、建物内の人の有無、人の動きを検知するセンサであり、例えば、建物のドアの開閉の有無を検知するドアセンサおよび室内の人の動きを検知するモーションセンサである。
【００２３】
なお、ドアホンシステム１００Ａとドアホンシステム１００Ｂは、設けられる建物が異なるが、同様のシステムである。以下、ドアホンシステム１００Ａとドアホンシステム１００Ｂを区別する必要が無い場合、単に、ドアホンシステム１００と記載する。同様に、室内親機２００Ａと室内親機２００Ｂを区別する必要が無い場合、単に、室内親機２００と記載し、玄関子機３００Ａと玄関子機３００Ｂを区別する必要が無い場合、単に、玄関子機３００と記載する。
【００２４】
次に、ドアホンシステム１００の室内親機２００および玄関子機３００の構成について説明する。
【００２５】
＜室内親機の構成＞
図２は、本実施の形態に係る室内親機２００の構成の一例を示すブロック図である。
【００２６】
室内親機２００は、マイク（ＭＩＣ）２０１、スピーカ（ＳＰ）２０２、音声処理部２０３、表示部２０４、操作部２０５、外部メモリ接続部２０６、ドアホンインタフェース（ドアホンＩ／Ｆ）２０７、ＡＭ（Amplitude Modulation）信号変復調部２０８、ＦＭ（Frequency Modulation）信号復調部２０９、カメラ２１０、画像処理部２１１、通信部２１２、外部入出力インタフェース（外部入出力Ｉ／Ｆ）２１３、制御部２１４、記憶部２１５、および、親機電源部２１６を備える。
【００２７】
マイク２０１は、周囲の音声を集音してアナログ音声データに変換し、変換したアナログ音声データを音声処理部２０３へ出力する。
【００２８】
スピーカ２０２は、音声処理部２０３から出力されるアナログ音声データを音声に変換し、変換した音声を出力する。
【００２９】
音声処理部２０３は、制御部２１４から出力されたアナログ音声データに対して、信号レベルの調整を行い、スピーカ２０２および／またはドアホンインタフェース２０７へ出力する。また、音声処理部２０３は、マイク２０１から出力されたアナログ音声データに対して、信号レベルの調整を行い、制御部２１４またはドアホンインタフェース２０７へ出力する。また、音声処理部２０３は、ドアホンインタフェース２０７から出力されたアナログ音声データに対して、信号レベルの調整を行い、制御部２１４またはスピーカ２０２へ出力する。
【００３０】
カメラ２１０は、建物の内部の映像（または画像）を撮影し、撮影した映像をアナログ映像データに変換して、画像処理部２１１へ出力する。なお、カメラ２１０は、撮影した映像をデジタル映像データに変換し、デジタル映像データを画像処理部２１１へ出力しても良い。
【００３１】
ＦＭ信号復調部２０９は、ドアホンインタフェース２０７から出力されるＦＭ信号を復調し、後述する玄関子機３００のカメラにより撮影された映像のアナログ映像データを生成する。ＦＭ信号復調部２０９は、生成したアナログ映像データを画像処理部２１１へ出力する。
【００３２】
画像処理部２１１は、カメラ２１０および／またはＦＭ信号復調部２０９から出力されるアナログ映像データを、デジタル映像データに変換し、変換したデジタル映像データを制御部２１４へ出力する。なお、画像処理部２１１は、アナログ映像データに対して、画質の調整、ノイズキャンセル、画像圧縮処理などの所定の画像処理を行っても良い。また、カメラ２１０から出力されるデータが、デジタル映像データである場合、画像処理部２１１は、カメラ２１０から出力されるデータに対して、所定の画像処理を行い、画像処理後のデジタル映像データを制御部２１４へ出力する。
【００３３】
表示部２０４は、例えば、液晶ディスプレイ（ＬＣＤ：Liquid Crystal Display）およびＬＥＤ（Light Emitting Diode）を含む。表示部２０４は、制御部２１４から出力される映像を表示し、制御部２１４から出力される指示に応じてＬＥＤの点灯等を行う。
【００３４】
操作部２０５は、例えば、表示部２０４に重畳されるタッチパネルおよび各種ボタンを含む。操作部２０５は、ユーザの操作を受けつけ、ユーザの操作内容を示す操作情報を制御部２１４へ出力する。
【００３５】
外部メモリ接続部２０６は、例えば、スロット状の挿入口を有し、ＳＤカードなどの外部メモリを受け付ける。そして、外部メモリ接続部２０６は、外部記憶メモリに記憶されたデータを抽出し、制御部２１４へ出力する。また、外部メモリ接続部２０６は、制御部２１４から出力されるデータを外部メモリへ転送する。
【００３６】
ドアホンインタフェース２０７は、玄関子機３００と有線接続または無線接続し、玄関子機３００との信号の送受信を行うインタフェースである。ドアホンインタフェース２０７は、玄関子機３００から出力される音声信号を音声処理部２０３へ出力する。また、ドアホンインタフェース２０７は、玄関子機３００から出力される制御信号をＡＭ信号変復調部２０８へ出力する。また、ドアホンインタフェース２０７は、ＦＭ変調が施された映像信号をＦＭ信号復調部２０９へ出力する。
【００３７】
ＡＭ信号変復調部２０８は、制御部２１４から出力される制御コマンドをＡＭ変調してＡＭ信号を生成する。ＡＭ信号変復調部２０８は、ドアホンインタフェース２０７を介して、生成したＡＭ信号を玄関子機３００へ出力する。なお、制御部２１４から出力される制御コマンドは、例えば、後述する玄関子機３００の照明部のオン／オフの制御、および、カメラの画質調整の命令を含む。
【００３８】
また、ＡＭ信号変復調部２０８は、ドアホンインタフェース２０７を介して、玄関子機３００から出力されるＡＭ信号を復調し、制御コマンドを生成する。ＡＭ信号変復調部２０８は、生成した制御コマンドを制御部２１４へ出力する。玄関子機３００から出力されるＡＭ信号は、例えば、玄関子機３００からの呼出し（つまり、来訪者の存在）を示す制御コマンドを含む。
【００３９】
通信部２１２は、無線通信回路およびアンテナを含み、外部のセンサ７００と無線接続し、通信を行う。なお、通信部２１２は、センサ７００以外の外部の無線機器と無線接続しても良い。センサ７００以外の外部の無線機器とは、例えば、無線接続する玄関子機３００、ワイヤレスカメラおよびキーフォブである。例えば、玄関子機３００が室内親機２００と無線接続する場合、通信部２１２は、玄関子機３００とのインタフェースとして機能し、玄関子機３００と無線通信を行っても良い。また、通信部２１２と、センサ７００を含む外部の無線機器との間の通信方式は、例えば、ＤＥＣＴ（Digital Enhanced Cordless Telecommunications）およびＷｉ−ｆｉ（登録商標）等の近距離または中距離無線通信方式である。
【００４０】
また、通信部２１２は、無線ルータ４００と無線接続し、無線ルータ４００を介して、通信相手と信号の送受信を行う。本実施の形態における通信相手とは、例えば、他の建物の内部に配置される室内親機２００およびスマートフォン６００である。通信部２１２と無線ルータ４００との間の通信方式は、例えば、Ｗｉ−ｆｉである。なお、通信部２１２は、無線ルータ４００と有線により接続し、通信を行っても良い。
【００４１】
外部入出力インタフェース２１３は、外部機器８００と有線接続または無線接続するインタフェースである。外部機器８００とは、例えば、玄関扉を施錠および解錠する電気錠、火災を検知する火災警報器、および、後述する玄関子機３００からの呼出しに応じて点灯するチャイムを含む。
【００４２】
制御部２１４は、例えば、操作部２０５から出力される操作情報、ドアホンインタフェース２０７を介して玄関子機３００から取得する信号、および／または、通信部２１２を介して通信相手から取得する信号等に基づいて、室内親機２００の各部を制御する。
【００４３】
例えば、制御部２１４は、玄関子機３００から来訪者の存在を示す制御コマンドを含む信号を受信し、表示部２０４およびスピーカ２０２を介して着信がある旨を通知する。また、制御部２１４は、カメラ２１０を起動し、カメラ２１０が撮影した映像のデジタル映像データを取得する。制御部２１４は、表示部２０４に表示する映像を生成し、表示部２０４へ出力する。制御部２１４は、外部メモリに記憶する情報を生成し、外部メモリ接続部２０６へ出力する。制御部２１４は、記憶部２１５に記憶する情報を生成し、記憶部２１５へ出力する。
【００４４】
また、制御部２１４は、音声処理部２０３とのアナログ音声データの入出力を行う。音声処理部２０３へ出力するアナログ音声データは、例えば、後述するスマートフォン６００のマイクが集音した音声のデータを含む。音声処理部２０３から取得するアナログ音声データは、マイク２０１が集音した音声のデータである。
【００４５】
また、制御部２１４は、通信部２１２との信号の入出力を行う。通信部２１２へ出力する信号は、例えば、マイク２０１が集音した音声、玄関子機３００のマイクが集音した音声、カメラ２１０が撮影した映像、および、玄関子機３００のカメラが撮影した映像のいずれかを含む信号である。通信部２１２から取得する信号は、例えば、他の室内親機２００のマイク２０１が集音した音声、他の室内親機２００のカメラ２１０が撮影した映像、スマートフォン６００のマイクが集音した音声、および、スマートフォン６００のカメラが撮影した映像いずれかを含む信号である。
【００４６】
記憶部２１５は、制御部２１４から出力される各種情報、および、制御部２１４が参照する各種情報を記憶する。例えば、記憶部２１５は、室内親機２００と玄関子機３００との間で行われた来訪者との応対の記録の情報、および、センサ７００が検知する情報などを記憶する。
【００４７】
親機電源部２１６は、商用電源を取得し、内部回路（例えば、室内親機２００の各部）に対して電源を供給する。
【００４８】
また、玄関子機３００が室内親機２００からの電源の供給を受けつける場合、親機電源部２１６は、ドアホンインタフェース２０７を介して、玄関子機３００へ電源を供給する。この場合、親機電源部２１６は、制御部２１４の制御により、玄関子機３００への電源の供給を開始する。なお、玄関子機３００がバッテリ駆動の場合、親機電源部２１６は、玄関子機３００へ電源を供給しない。
【００４９】
＜玄関子機の構成＞
図３は、本実施の形態に係る玄関子機３００の構成の一例を示すブロック図である。
【００５０】
玄関子機３００は、マイク（ＭＩＣ）３０１、スピーカ（ＳＰ）３０２、音声処理部３０３、照明部３０４、操作部３０５、カメラ３０６、画像処理部３０７、ドアホンインタフェース（ドアホンＩ／Ｆ）３０８、着信検出回路３０９、ＦＭ信号変調部３１０、ＡＭ信号変復調部３１１、制御部３１２、記憶部３１３、電源部３１４、バッテリ３１５、および、照度検知部３１６を備える。
【００５１】
マイク３０１は、周囲の音声を集音してアナログ音声データに変換し、変換したアナログ音声データを音声処理部３０３へ出力する。
【００５２】
スピーカ３０２は、音声処理部３０３から出力されるアナログ音声データを音声に変換し、変換した音声を出力する。
【００５３】
音声処理部３０３は、ドアホンインタフェース３０８から出力されたアナログ音声データに対して、信号レベルの調整を行い、スピーカ３０２へ出力する。また、音声処理部３０３は、マイク３０１から出力されたアナログ音声データに対して、信号レベルの調整を行い、ドアホンインタフェース３０８を介して、室内親機２００へ出力する。
【００５４】
カメラ３０６は、玄関付近の映像（または画像）を撮影し、撮影した映像をデジタル映像データに変換して、画像処理部３０７へ出力する。
【００５５】
画像処理部３０７は、カメラ３０６から出力されるデジタル映像データを、アナログ映像データに変換し、変換したアナログ映像データを制御部３１２へ出力する。なお、画像処理部３０７は、アナログ映像データに対して、画質の調整、ノイズキャンセル、画像圧縮処理などの所定の画像処理を行っても良い。
【００５６】
照度検知部３１６は、例えば、外光の明るさを検知するセンサである。照度検知部３１６は、外光の明るさを示す情報を制御部３１２へ出力する。
【００５７】
照明部３０４は、例えば、来訪者を照らすＬＥＤライトである。照明部３０４は、制御部３１２から出力される指示に基づいて、ＬＥＤライトを点灯させる。
【００５８】
操作部３０５は、建物内の居住者を呼び出すための呼出ボタンを含む。操作部３０５は、ユーザ（例えば、建物への来訪者）の操作を受けつけ、ユーザの操作内容を示す操作情報を着信検出回路３０９へ出力する。
【００５９】
ドアホンインタフェース３０８は、室内親機２００と有線接続し、室内親機２００との信号の送受信を行うインタフェースである。
【００６０】
ＡＭ信号変復調部３１１は、制御部３１２から出力される制御コマンドをＡＭ変調してＡＭ信号を生成する。ＡＭ信号変復調部３１１は、ドアホンインタフェース３０８を介して、生成したＡＭ信号を室内親機２００へ出力する。制御部３１２から出力される制御コマンドは、例えば、室内親機２００の呼出しを示す制御コマンドを含む。
【００６１】
また、ＡＭ信号変復調部３１１は、ドアホンインタフェース３０８を介して、室内親機２００から出力されるＡＭ信号を復調し、制御コマンドを生成する。ＡＭ信号変復調部３１１は、生成した制御コマンドを制御部３１２へ出力する。室内親機２００から出力されるＡＭ信号は、照明部３０４のオン／オフの制御、および、カメラ３０６の画質調整の命令を含む。
【００６２】
ＦＭ信号変調部３１０は、制御部３１２から出力されるアナログ映像データをＦＭ変調してＦＭ信号を生成する。ＦＭ信号変調部３１０は、ドアホンインタフェース３０８を介して、生成したＦＭ信号を室内親機２００へ出力する。制御部３１２から出力されるアナログ映像データは、例えば、カメラ３０６により撮影された映像の映像データを含む。なお、ＦＭ信号変調部３１０は、画像処理部３０７からアナログ映像データを取得し、ＦＭ信号を生成しても良い。
【００６３】
着信検出回路３０９は、呼出ボタンが押下されたことを示す操作情報を操作部３０５から取得した場合、来訪者の存在を示す着信信号を生成し、ドアホンインタフェース３０８を介して、室内親機２００へ出力する。また、着信検出回路３０９は、着信信号を制御部３１２へ出力する。
【００６４】
制御部３１２は、例えば、着信検出回路３０９から出力される着信信号、ドアホンインタフェース３０８を介して室内親機２００から取得する信号等に基づいて、玄関子機３００の各部を制御する。
【００６５】
例えば、制御部３１２は、照明部３０４の点灯の指示を含む制御コマンドに基づいて、照明部３０４に対して、照明を点灯する指示を行う。あるいは、制御部３１２は、照度検知部３１６から出力される、外光の明るさを示す情報に基づいて、照明の点灯の要否を判定し、照明部３０４に対して、照明を点灯する指示を行っても良い。
【００６６】
記憶部３１３は、制御部３１２から出力される各種情報、および、制御部３１２が参照する各種情報を記憶する。例えば、記憶部３１３は、室内親機２００と玄関子機３００との間で行われた来訪者との応対の記録の情報を記憶する。なお、室内親機２００の記憶部２１５において、応対の記録の情報が記憶される場合、記憶部３１３は、応対の記録の情報を記憶しなくても良い。
【００６７】
電源部３１４は、内部回路（例えば、玄関子機３００の各部）に対して電源を供給する。
【００６８】
玄関子機３００が室内親機２００からの電源の供給を受けつける場合、電源部３１４には、ドアホンインタフェース３０８を介して、室内親機２００から電源が供給される。例えば、室内親機２００は、着信信号を取得した場合に、玄関子機３００へ電源の供給を開始する。電源部３１４が、室内親機２００から電源の供給を受け、内部回路に電源を供給することにより、例えば、カメラ３０６により撮影された映像の映像データおよび／またはマイク３０１により集音された音声の音声データの室内親機２００への送信が開始される。この場合、室内親機２００から電源が供給されることが、玄関子機３００における応答開始のトリガとなる。
【００６９】
なお、玄関子機３００がバッテリ駆動の場合、電源部３１４には、バッテリ３１５から電源が供給されても良い。
【００７０】
以上説明したドアホンシステム１００における、来訪者に対する応対の動作概要を説明する。
【００７１】
＜来訪者に対する応対の動作概要＞
来訪者が、操作部３０５の呼出ボタンを押下すると、着信検出回路３０９は、着信信号を生成し、ドアホンインタフェース３０８を介して、室内親機２００へ出力する。室内親機２００の制御部２１４は、玄関子機３００から着信信号を受信し、建物内の居住者に着信がある旨を通知する。例えば、制御部２１４は、着信音をスピーカ２０２から出力し、表示部２０４へメッセージを表示することにより、建物内の居住者に通知する。
【００７２】
居住者が、着信に対して応答を行うことを示す操作を操作部２０５に対して行うと、親機電源部２１６は、制御部２１４の制御により、玄関子機３００への電源の供給を開始する。また、制御部２１４は、マイク２０１が集音した音声のデータを含む信号を玄関子機３００へ出力する。なお、以下では、マイク２０１が集音した音声を、室内親機２００の音声と記載する。
【００７３】
玄関子機３００の電源部３１４が、室内親機２００から電源の供給を受け、各部に電源の供給を開始したことをトリガとして、制御部３１２は、カメラ３０６が撮影した映像のデータ、および、マイク３０１が集音した音声のデータを取得する。その際、制御部３１２は、照度検知部３１６から出力される、外光の明るさを示す情報に基づいて、照明の点灯の要否を判定し、照明部３０４に対して、照明を点灯する指示を行っても良い。あるいは、制御部３１２は、照明部３０４の点灯の指示を含む制御コマンドに基づいて、照明部３０４に対して、照明を点灯する指示を行っても良い。
【００７４】
制御部３１２は、取得したデータを含む信号を室内親機２００へ出力する。なお、以下では、カメラ３０６が撮影した映像、および、マイク３０１が集音した音声をそれぞれ、玄関子機３００の映像、および、玄関子機３００の音声と記載する。
【００７５】
また、制御部３１２は、室内親機２００から取得する信号に基づき、室内親機２００の音声をスピーカ３０２から出力する。
【００７６】
制御部２１４は、玄関子機３００から取得する信号に基づき、玄関子機３００の映像を表示部２０４へ表示し、玄関子機３００の音声をスピーカ２０２から出力する。
【００７７】
以上のように、ドアホンシステム１００において、建物内の居住者と来訪者が、音声および映像による通話（ドアホン通話）を行うことによって、来訪者に対する応対が行われる。
【００７８】
また、ドアホンシステム１００では、室内親機２００が、玄関子機３００から受信した着信信号を外部のスマートフォン６００に通信部２１２を介して転送することによって、スマートフォン６００の所有者が、来訪者に対する応対を行っても良い。
【００７９】
具体的には、室内親機２００の制御部２１４は、玄関子機３００から受信した着信信号をスマートフォン６００に転送する。また、親機電源部２１６は、制御部２１４の制御により、玄関子機３００への電源の供給を開始する。スマートフォン６００は、受信した着信信号に基づき、スマートフォン６００のスピーカから着信音を出力し、表示部に着信の旨を表示する。
【００８０】
スマートフォン６００の所有者が、着信に対して応答を行うことを示す操作を操作部に対して行うと、スマートフォン６００は、応答信号を室内親機２００へ送信する。また、スマートフォン６００は、マイクが集音した音声のデータを含む信号を室内親機２００へ送信する。室内親機２００の制御部２１４は、スマートフォン６００から受信した信号を玄関子機３００へ転送する。なお、以下では、スマートフォン６００のマイクが集音した音声を、スマートフォン６００の音声と記載する。
【００８１】
玄関子機３００は、上述した建物内の居住者が来訪者に応対する例と同様に、電源部３１４が、室内親機２００から電源の供給を受け、各部に電源の供給を開始したことをトリガとして、玄関子機３００の映像、および、玄関子機３００の音声のデータを含む信号を室内親機２００へ出力する。その際、制御部３１２は、照度検知部３１６から出力される、外光の明るさを示す情報に基づいて、照明の点灯の要否を判定し、照明部３０４に対して、照明を点灯する指示を行っても良い。あるいは、制御部３１２は、照明部３０４の点灯の指示を含む制御コマンドに基づいて、照明部３０４に対して、照明を点灯する指示を行っても良い。照明部３０４の点灯の指示を含む制御コマンドは、スマートフォン６００から取得する信号に含まれていても良い。
【００８２】
室内親機２００の制御部２１４は、玄関子機３００から取得した信号をスマートフォン６００へ転送する。
【００８３】
また、制御部３１２は、スマートフォン６００から取得する信号に基づき、スマートフォン６００の音声をスピーカ３０２から出力する。
【００８４】
スマートフォン６００は、玄関子機３００から取得する信号に基づき、玄関子機３００の映像を表示部へ表示し、玄関子機３００の音声をスピーカから出力する。
【００８５】
なお、上述では、室内親機２００が、玄関子機３００から受信した着信信号を外部のスマートフォン６００に通信部２１２を介して転送する例について説明した。本開示はこれに限定されない。例えば、室内親機２００が、玄関子機３００から受信した着信信号を他の室内親機２００に転送しても良い。例えば、図１において、建物Ｂの来訪者が玄関子機３００Ｂを操作して、室内親機２００Ｂに呼出しを行った場合、玄関子機３００Ｂは、玄関子機３００Ｂから受信した着信信号を室内親機２００Ａに転送しても良い。そして、建物Ａの居住者が、室内親機２００Ａを介して、建物Ｂの来訪者に対する応対を行っても良い。
【００８６】
以上説明したドアホンシステム１００において、建物の内部に配置される室内親機２００は、玄関子機３００から取得する画像を表示する表示部と、建物の内部を撮影するカメラ２１０と、カメラ２１０が撮影した画像を含むデータを通信相手に対して送信する通信部２１２を備える構成を採る。この構成により、ドアホンシステム１００のユーザ、例えば、建物の居住者に対して、利便性の高い様々な機能を提供する。以下では、その機能を用いた動作の例について説明する。
【００８７】
＜第１の動作例＞
第１の動作例は、ドアホンシステム１００の室内親機２００が有するカメラ２１０を介して、室内親機２００が配置される建物の内部をモニタする例である。以下では、建物Ｂの室内に配置される室内親機２００Ｂを用いて、建物Ａの室内に配置される室内親機２００Ａを介して、建物Ａの内部をモニタする例を説明する。
【００８８】
建物Ｂに在宅し、建物Ａの内部のモニタを要求するユーザは、室内親機２００Ｂの操作部２０５を操作し、建物Ａのモニタを要求することを示す要求信号を室内親機２００Ａに対して送信する。室内親機２００Ａの通信部２１２は、要求信号を受信し、室内親機２００Ａの制御部２１４へ出力する。制御部２１４は、要求信号を取得した場合、室内親機２００Ａのカメラ２１０が撮影した映像を、画像処理部２１１を介して、取得する。そして、室内親機２００Ａの制御部２１４は、カメラ２１０が撮影した映像を含むデータを、室内親機２００Ａの通信部２１２を介して、室内親機２００Ｂに対して送信する。なお、以下では、室内親機２００Ａのカメラ２１０が撮影した映像を、室内親機２００Ａの映像と記載する。
【００８９】
室内親機２００Ｂの通信部２１２は、室内親機２００Ａの映像を含むデータを室内親機２００Ａから受信し、室内親機２００Ｂの制御部２１４へ出力する。室内親機２００Ｂの制御部２１４は、室内親機２００Ａの映像を室内親機２００Ｂの表示部２０４へ表示する。
【００９０】
これにより、建物Ｂに在宅するユーザは、室内親機２００Ｂの表示部２０４に表示される、室内親機２００Ａの映像をモニタすることができる。
【００９１】
同様に、建物Ａに在宅するユーザは、建物Ｂのモニタを要求する場合、室内親機２００Ａの操作部２０５を操作することによって、室内親機２００Ａの表示部２０４に表示される、室内親機２００Ｂのカメラ２１０が撮影した映像（室内親機２００Ｂの映像）をモニタすることができる。
【００９２】
なお、上述した例では、室内親機２００（２００Ａまたは２００Ｂ）を用いて、建物の室内をモニタする例について説明した。本開示はこれに限定されない。例えば、ユーザは、スマートフォン６００を用いて、建物の室内のモニタを行っても良い。
【００９３】
具体的には、ユーザは、スマートフォン６００のタッチパネル付き液晶ディスプレイに表示される画像ボタンを操作し、建物Ａのモニタを要求することを示す要求信号を室内親機２００Ａに対して送信しても良い。この場合、室内親機２００Ａの制御部２１４は、室内親機２００Ａの映像を含むデータを、室内親機２００Ａの通信部２１２を介して、スマートフォン６００に対して送信する。
【００９４】
これにより、スマートフォン６００を所有するユーザは、スマートフォンの表示部（例えば、液晶ディスプレイ）に表示される、室内親機２００Ａの映像をモニタすることができる。
【００９５】
同様に、スマートフォン６００を所有するユーザは、スマートフォン６００の画像ボタンを操作することによって、スマートフォンの表示部（例えば、液晶ディスプレイ）に表示される、室内親機２００Ｂの映像をモニタすることができる。
【００９６】
以上、第１の動作例では、室内親機２００が有するカメラ２１０が撮影した室内の映像をモニタする例を説明した。これにより、室内親機２００が配置される建物を遠隔でモニタすることができるため、例えば、建物Ａに居住する夫婦が、室内親機２００Ａを操作して、建物Ｂに居住する祖父母の安否を確認することができる。また、例えば、建物Ａに居住する子供が留守番をしている場合、その子供の親が外出先にてスマートフォン６００を操作し、子供が留守番している様子を確認することができる。
【００９７】
＜第１の動作例のバリエーション＞
上述した第１の動作例では、室内親機２００が有するカメラ２１０によって撮影された室内の映像を遠隔でモニタする例について説明した。本開示はこれに限定されない。以下では、第１の動作例のバリエーションとして、室内の映像とは異なる情報を遠隔でモニタする例について説明する。
【００９８】
＜第１の例＞
第１に、ドアホンシステム１００によって行われた、来訪者との応対記録の情報を遠隔でモニタする例を説明する。
【００９９】
具体的には、室内親機２００の制御部２１４は、来訪者との応対記録（例えば、玄関子機３００から呼出しがあった時刻、呼出しに対して応対を行ったか否かを示す情報、および、応対の際の音声）を記憶部２１５に記憶する。そして、制御部２１４は、通信部２１２を介して取得する、応対記録の要求を示す要求信号に応じて、記憶部２１５に記憶された応対記録を、通信部２１２を介して、送信する。
【０１００】
例えば、建物Ｂに在宅し、建物Ａの応対記録を要求するユーザは、室内親機２００Ｂの操作部２０５を操作し、建物Ａの応対記録の要求を示す要求信号を室内親機２００Ａに対して送信する。室内親機２００Ａの通信部２１２は、要求信号を受信し、室内親機２００Ａの制御部２１４へ出力する。制御部２１４は、要求信号を取得した場合、室内親機２００Ａの記憶部２１５に記憶された応対記録を読み出す。そして、室内親機２００Ａの制御部２１４は、応対記録を含むデータを、室内親機２００Ａの通信部２１２を介して、室内親機２００Ｂに対して送信する。
【０１０１】
室内親機２００Ｂの通信部２１２は、応対記録を含むデータを室内親機２００Ａから受信し、室内親機２００Ｂの制御部２１４へ出力する。室内親機２００Ｂの制御部２１４は、応対記録を室内親機２００Ｂの表示部２０４へ表示する。例えば、応対記録は、文字情報によって表示される。
【０１０２】
これにより、建物Ｂに在宅するユーザは、室内親機２００Ｂの表示部２０４に表示される、室内親機２００Ａの記憶部２１５に記憶された応対記録をモニタすることができる。
【０１０３】
同様に、建物Ａに在宅するユーザは、建物Ｂの応対記録のモニタを要求する場合、室内親機２００Ａの操作部２０５を操作することによって、室内親機２００Ａの表示部２０４に表示される、室内親機２００Ｂの記憶部２１５に記憶された応対記録をモニタすることができる。
【０１０４】
なお、上述した例では、室内親機２００（２００Ａまたは２００Ｂ）を用いて、応対記録をモニタする例について説明した。本開示はこれに限定されない。例えば、ユーザは、スマートフォン６００を用いて、応対記録のモニタを行っても良い。
【０１０５】
具体的には、ユーザは、スマートフォン６００の画像ボタンを操作し、建物Ａの応対記録の要求を示す要求信号を室内親機２００Ａに対して送信しても良い。この場合、室内親機２００Ａの制御部２１４は、室内親機２００Ａの記憶部２１５に記憶された応対記録を含むデータを、室内親機２００Ａの通信部２１２を介して、スマートフォン６００に対して送信する。
【０１０６】
これにより、スマートフォン６００を所有するユーザは、スマートフォンの表示部（例えば、液晶ディスプレイ）に表示される、室内親機２００Ａの記憶部２１５に記憶された応対記録をモニタすることができる。
【０１０７】
同様に、スマートフォン６００を所有するユーザは、スマートフォン６００の画像ボタンを操作することによって、スマートフォンの表示部（例えば、液晶ディスプレイ）に表示される、室内親機２００Ｂの記憶部２１５に記憶された応対記録をモニタすることができる。
【０１０８】
＜第２の例＞
第２に、建物に設置されるセンサ７００が検知する情報（以下、検知情報と記載する）を遠隔でモニタする例を説明する。建物に設置されるセンサ７００とは、建物内の人の有無、人の動きを検知するセンサであり、例えば、建物のドアの開閉の有無を検知するドアセンサおよび室内の人の動きを検知するモーションセンサである。また、検知情報とは、例えば、建物内の人の有無、人の動きを示す情報であり、例えば、１日単位、１週間単位などの予め決められた単位時間の履歴を含む。
【０１０９】
具体的には、室内親機２００の制御部２１４は、通信部２１２を介して、検知情報を取得する。そして、制御部２１４は、通信部２１２を介して取得する、検知情報の要求を示す信号に応じて、通信部２１２を介して、検知情報を送信する。
【０１１０】
例えば、建物Ｂに在宅し、建物Ａの検知情報を要求するユーザは、室内親機２００Ｂの操作部２０５を操作し、建物Ａの検知情報の要求を示す要求信号を室内親機２００Ａに対して送信する。室内親機２００Ａの通信部２１２は、要求信号を受信し、室内親機２００Ａの制御部２１４へ出力する。制御部２１４は、要求信号を取得した場合、室内親機２００Ａの通信部２１２に接続する建物Ａのセンサ７００Ａから、建物Ａの検知情報を取得する。そして、室内親機２００Ａの制御部２１４は、建物Ａの検知情報を含むデータを、室内親機２００Ａの通信部２１２を介して、室内親機２００Ｂに対して送信する。
【０１１１】
室内親機２００Ｂの通信部２１２は、建物Ａの検知情報を含むデータを室内親機２００Ａから受信し、室内親機２００Ｂの制御部２１４へ出力する。室内親機２００Ｂの制御部２１４は、建物Ａの検知情報を室内親機２００Ｂの表示部２０４へ表示する。例えば、検知情報は、文字情報によって表示される。
【０１１２】
これにより、建物Ｂに在宅するユーザは、室内親機２００Ｂの表示部２０４に表示される、建物Ａの検知情報をモニタすることができる。
【０１１３】
同様に、建物Ａに在宅するユーザは、建物Ｂの検知情報を要求する場合、室内親機２００Ａの操作部２０５を操作することによって、室内親機２００Ａの表示部２０４に表示される、室内親機２００Ｂの記憶部２１５に記憶された応対記録をモニタすることができる。
【０１１４】
なお、上述した例では、室内親機２００（２００Ａまたは２００Ｂ）を用いて、検知情報をモニタする例について説明した。本開示はこれに限定されない。例えば、ユーザは、スマートフォン６００を用いて、検知情報のモニタを行っても良い。
【０１１５】
具体的には、ユーザは、スマートフォン６００の画像ボタンを操作し、建物Ａの検知情報の要求を示す要求信号を室内親機２００Ａに対して送信しても良い。この場合、室内親機２００Ａの制御部２１４は、建物Ａの検知情報を含むデータを、室内親機２００Ａの通信部２１２を介して、スマートフォン６００に対して送信する。
【０１１６】
これにより、スマートフォン６００を所有するユーザは、スマートフォンの表示部（例えば、液晶ディスプレイ）に表示される、建物Ａの検知情報をモニタすることができる。
【０１１７】
同様に、スマートフォン６００を所有するユーザは、スマートフォン６００の画像ボタンを操作することによって、スマートフォンの表示部（例えば、液晶ディスプレイ）に表示される、建物Ｂの検知情報をモニタすることができ、外部から建物内の人物の安否等を簡易に確認できる。
【０１１８】
なお、上述では、ユーザが検知情報を要求する場合に、検知情報がユーザに送信される例について説明した。本開示はこれに限定されない。例えば、センサ７００が建物内の人の存在および／または人の動きを検知した場合に、室内親機２００が、予め登録されているユーザのスマートフォン６００または予め登録されている他の室内親機２００へ検知情報を送信しても良い。これにより、外部から建物内の人物の安否等を簡易に確認できる。
【０１１９】
＜第２の動作例＞
第２の動作例は、ドアホンシステム１００の室内親機２００を介して、室内親機２００が配置される建物に居住する居住者等と通話を行う例である。以下では、建物Ｂの室内に配置される室内親機２００Ｂを用いて、建物Ａの室内に配置される室内親機２００Ａを介して、建物Ａの居住者とビデオ通話を行う例を説明する。
【０１２０】
建物Ｂに在宅し、建物Ａの居住者とのビデオ通話を要求するユーザは、室内親機２００Ｂの操作部２０５を操作し、建物Ａの居住者とのビデオ通話を要求することを示す信号（以下、発信信号と記載する）を室内親機２００Ａに対して送信する。室内親機２００Ａの通信部２１２は、発信信号を受信し、室内親機２００Ａの制御部２１４へ出力する。制御部２１４は、発信信号を取得した場合、つまり、着信があった場合、室内親機２００Ａのスピーカ２０２から着信があったことを示す着信音を出力し、着信があったことを示すメッセージを表示部２０４に表示させる。
【０１２１】
着信音を確認した建物Ａの居住者は、室内親機２００Ａの操作部２０５に対して、応答することを示す操作を行う。室内親機２００Ａの制御部２１４は、着信に対して応答することを示す操作情報を操作部２０５から取得した場合、カメラ２１０を起動させる。そして、室内親機２００Ａの制御部２１４は、カメラ２１０が撮影した映像と、マイク２０１が集音した建物Ａの居住者が発する音声とを含むビデオ通話データを、室内親機２００Ａの通信部２１２を介して、室内親機２００Ｂに対して送信する。
【０１２２】
室内親機２００Ｂの通信部２１２は、ビデオ通話データを室内親機２００Ａから受信し、室内親機２００Ｂの制御部２１４へ出力する。室内親機２００Ｂの制御部２１４は、ビデオ通話データに含まれる映像を室内親機２００Ｂの表示部２０４へ表示し、音声を室内親機２００Ｂのスピーカ２０２から出力する。
【０１２３】
同様に、室内親機２００Ａの通信部２１２は、ビデオ通話データを室内親機２００Ｂから受信し、室内親機２００Ａの制御部２１４へ出力する。室内親機２００Ａの制御部２１４は、ビデオ通話データに含まれる映像を室内親機２００Ａの表示部２０４へ表示し、音声を室内親機２００Ａのスピーカ２０２から出力する。
【０１２４】
これにより、建物Ｂに在宅するユーザは、建物Ａの居住者とのビデオ通話を行うことができる。
【０１２５】
同様に、建物Ａに在宅するユーザは、室内親機２００Ａの操作部２０５を操作することによって、建物Ｂの居住者とのビデオ通話を行うことができる。
【０１２６】
なお、上述した例では、室内親機２００間のビデオ通話の例について説明した。本開示はこれに限定されない。例えば、ユーザは、スマートフォン６００を用いて、室内親機２００とのビデオ通話を行っても良い。
【０１２７】
具体的には、ユーザは、スマートフォン６００の画像ボタンを操作し、建物Ａの居住者とのビデオ通話を要求することを示す発信信号を室内親機２００Ａに対して送信しても良い。この場合、室内親機２００Ａの制御部２１４は、ビデオ通話データを、室内親機２００Ａの通信部２１２を介して、スマートフォン６００に対して送信する。
【０１２８】
これにより、スマートフォン６００を所有するユーザは、建物Ａの居住者とのビデオ通話を行うことができる。
【０１２９】
同様に、スマートフォン６００を所有するユーザは、建物Ｂの居住者とのビデオ通話を行うことができる。
【０１３０】
また、建物に在宅するユーザが、室内親機２００を用いて、スマートフォン６００の所有者とのビデオ通話を要求することを示す発信信号を、スマートフォン６００に対して送信し、室内親機２００とスマートフォン６００との間のビデオ通話を行っても良い。
【０１３１】
＜第２の動作例のバリエーション＞
次に、第２の動作例のバリエーションとして、ビデオ通話中に来訪者が玄関子機３００Ａを用いて室内親機２００Ａに呼出しを行った場合に、呼出しに対する切替動作のバリエーションを説明する。
【０１３２】
＜バリエーション１＞
バリエーション１は、玄関子機３００Ａからの呼出しに対する応対をビデオ通話よりも優先する例である。
【０１３３】
図４は、玄関子機からの呼出しに対する切替え動作の第１の例を示すシーケンス図である。図４には、室内親機２００Ａ、玄関子機３００Ａおよびスマートフォン６００の処理と、室内親機２００Ａの表示部２０４に表示される画面Ｐ１〜Ｐ３、および、スマートフォン６００の表示部に表示される画面Ｑ１が一例として示される。
【０１３４】
ステップＳ１０１にて、室内親機２００Ａは、ユーザ（例えば、建物Ａの居住者）からスマートフォン６００とのビデオ通話の要求を示す操作を受けつけ、スマートフォン６００を呼び出す。
【０１３５】
画面Ｐ１は、ステップＳ１０１にて室内親機２００Ａの表示部２０４に表示される、ビデオ通話の要求を示す操作を受けつける画面の一例である。画面Ｐ１には、「おとうさんのスマートフォン」、「おかあさんのスマートフォン」、および、「おじいさんの家」という３つのビデオ通話の発信先が示される。「おとうさんのスマートフォン」および「おかあさんのスマートフォン」は、それぞれ、建物Ａに居住する家族の夫婦が所有するスマートフォン６００である。「おじいさんの家」は、祖父母が居住する建物Ｂに配置される室内親機２００Ｂである。これらの発信先は、予め、室内親機２００Ａに登録される。
【０１３６】
例えば、「おかあさんのスマートフォン」へ発信するユーザ（例えば、建物Ａに居住する家族の子供）は、母親が所有するスマートフォン６００へ発信することを示す操作を行うことにより、母親が所有するスマートフォン６００を呼び出す。例えば、この操作は、表示部２０４に重畳される操作部２０５において、「おかあさんのスマートフォン」の表示部分を選択することにより行われる。
【０１３７】
ステップＳ１０２にて、スマートフォン６００を所有する母親は、スマートフォン６００を操作し、室内親機２００Ａへ応答する。
【０１３８】
そして、ステップＳ１０３にて、室内親機２００Ａとスマートフォン６００は、ビデオ通話を開始する。その際、室内親機２００Ａのスピーカ２０２から出力される音声は、スマートフォン６００の音声である。
【０１３９】
画面Ｐ２は、ステップＳ１０３にてビデオ通話が開始された後に、表示部２０４に表示される画面の一例である。画面Ｐ２には、通話相手（図４の例では母親）のアイコン、スマートフォン６００のカメラが撮影する映像、および、室内親機２００Ａのカメラ２１０が撮影する映像が表示される。
【０１４０】
ステップＳ１０４にて、玄関子機３００Ａは、来訪者からの操作（例えば、呼出ボタンの押下）を受けつけ、室内親機２００Ａを呼び出す。
【０１４１】
ステップＳ１０５にて、室内親機２００Ａは、ステップＳ１０３において開始されたビデオ通話を終了し、玄関子機３００Ａに対する応答を行う。その際、室内親機２００Ａは、ビデオ通話を終了することを示す指示をスマートフォン６００へ送信する。
【０１４２】
ステップＳ１０６にて、スマートフォン６００は、室内親機２００Ａからビデオ通話を終了することを示す指示を受け付け、ビデオ通話を終了することを示すメッセージを表示し、ビデオ通話を終了する。
【０１４３】
画面Ｑ１は、スマートフォン６００の表示部に表示されるメッセージ画面の一例である。画面Ｑ１のようなメッセージが表示されることにより、スマートフォン６００の所有者（図４の例では、母親）は、室内親機２００Ａにおいて来訪者の応対が行われていることを把握する。
【０１４４】
ステップＳ１０７にて、室内親機２００Ａは、玄関子機３００Ａに対する応答（ドアホン通話）を開始する。その際、室内親機２００Ａのスピーカ２０２から出力される音声は、玄関子機３００Ａの音声である。
【０１４５】
画面Ｐ３は、ステップＳ１０７にてドアホン通話が開始された後に、表示部２０４に表示される画面の一例である。画面Ｐ３には、玄関子機３００Ａのカメラ３０６が撮影する映像が表示される。
【０１４６】
なお、上述したステップＳ１０５では、室内親機２００Ａが、自動的にビデオ通話を終了し、玄関子機３００Ａに対する応答を行う例を説明した。本開示は、これに限定されない。例えば、室内親機２００Ａは、玄関子機３００Ａからの呼出しを示す着信音をスピーカ２０２から出力しても良い。着信音によって、ユーザ（例えば、建物Ａの居住者）に対して、ビデオ通話からドアホン通話へ切替えることが通知される。室内親機２００Ａは、着信音を出力した後、玄関子機３００Ａに対する応答を行うために、ビデオ通話を終了し、ドアホン通話へ切替えても良い。なお、この場合、着信音は、１回程度であっても良いし、着信音の音量は、比較的小さくても良い。
【０１４７】
＜バリエーション２＞
バリエーション２は、ピクト表示を用いて、玄関子機３００Ａからの呼出しを通知する例である。
【０１４８】
図５は、玄関子機からの呼出しに対する切替え動作の第２の例を示すシーケンス図である。図５には、室内親機２００Ａ、玄関子機３００Ａおよびスマートフォン６００の処理と、表示画面の一例が示される。なお、図５において、図４と同様の処理、および、同様の表示画面については同一の符番を付し、説明を省略する。
【０１４９】
図５は、図４に対して、ステップＳ２０１、および、ステップＳ２０１における表示画面である画面Ｐ４が追加されている。ステップＳ２０１は、ステップＳ１０４にて、玄関子機３００Ａは、来訪者からの操作（例えば、呼出ボタンの押下）を受けつけ、室内親機２００Ａを呼び出した後に実行される処理である。以下、追加された点について説明する。
【０１５０】
ステップＳ２０１にて、室内親機２００Ａは、玄関子機３００Ａからの呼出しがあることを示す割込み画面を表示部２０４に表示する。
【０１５１】
画面Ｐ４は、ステップＳ２０１にて表示される割込み画面の一例である。画面Ｐ４には、玄関子機３００Ａからの呼出しがあることを示すピクト表示として、画面Ｐ２に対して、「ドアホン着信中」という文字情報が割込んで表示される。なお、割込み画面が表示される段階にて、室内親機２００Ａのスピーカ２０２から出力される音声は、スマートフォン６００の音声である。
【０１５２】
画面Ｐ４を確認した室内親機２００Ａのユーザは、応答することを示す操作（例えば、ピクト表示部分をタッチする操作）を行うことにより、玄関子機３００Ａへの応答を開始する。そして、シーケンスは、ステップＳ１０５へ移行する。
【０１５３】
なお、上述したステップＳ２０１では、室内親機２００Ａが、玄関子機３００Ａからの呼出しがあることを示す割込み画面を表示部２０４に表示する例を説明した。本開示は、これに限定されない。例えば、室内親機２００Ａは、割込み画面を表示部２０４に表示し、玄関子機３００Ａからの呼出しを示す着信音をスピーカ２０２から出力しても良い。室内親機２００Ａのユーザは、表示部２０４の割込み画面と着信音を確認し、応答することを示す操作を行っても良い。なお、この場合、着信音は、１回程度であっても良いし、着信音の音量は、比較的小さくても良い。
【０１５４】
＜バリエーション３＞
バリエーション３は、玄関子機３００Ａの映像を用いて、玄関子機３００Ａからの呼出しを通知する例である。
【０１５５】
図６は、玄関子機からの呼出しに対する切替え動作の第３の例を示すシーケンス図である。図６には、室内親機２００Ａ、玄関子機３００Ａおよびスマートフォン６００の処理と、表示画面の一例が示される。なお、図６において、図４と同様の処理、および、同様の表示画面については同一の符番を付し、説明を省略する。
【０１５６】
図６は、図４に対して、ステップＳ３０１、および、ステップＳ３０１における表示画面である画面Ｐ５が追加されている。ステップＳ３０１は、ステップＳ１０４にて、玄関子機３００Ａは、来訪者からの操作（例えば、呼出ボタンの押下）を受けつけ、室内親機２００Ａを呼び出した後に実行される処理である。以下、追加された点について説明する。
【０１５７】
ステップＳ３０１にて、室内親機２００Ａは、玄関子機３００Ａからの呼出しがあることを示す割込み画面を表示部２０４に表示する。
【０１５８】
画面Ｐ５は、ステップＳ３０１にて表示される割込み画面の一例である。画面Ｐ５では、画面Ｐ２の室内親機２００Ａのカメラ２１０の映像の代わりに、玄関子機３００Ａのカメラ３０６の映像が割り込んで表示される。この割込み表示は、玄関子機３００Ａからの呼出しがあることを示す表示である。なお、割込み画面が表示される段階にて、室内親機２００Ａのスピーカ２０２から出力される音声は、スマートフォン６００の音声である。
【０１５９】
画面Ｐ５を確認した室内親機２００Ａのユーザは、応答することを示す操作（例えば、玄関子機３００Ａのカメラ３０６の映像の表示部分をタッチする操作）を行うことにより、玄関子機３００Ａへの応答を開始する。そして、シーケンスは、ステップＳ１０５へ移行する。
【０１６０】
なお、上述したステップＳ３０１では、室内親機２００Ａが、玄関子機３００Ａからの呼出しがあることを示す割込み画面を表示部２０４に表示する例を説明した。本開示は、これに限定されない。例えば、室内親機２００Ａは、割込み画面を表示部２０４に表示し、玄関子機３００Ａからの呼出しを示す着信音をスピーカ２０２から出力しても良い。室内親機２００Ａのユーザは、表示部２０４の割込み画面と着信音を確認し、応答することを示す操作を行っても良い。なお、この場合、着信音は、１回程度であっても良いし、着信音の音量は、比較的小さくても良い。
【０１６１】
なお、上述した各バリエーションでは、室内親機２００Ａのビデオ通話の通話相手が、スマートフォン６００である例について説明した。本開示は、これに限定されない。例えば、室内親機２００Ａのビデオ通話の通話相手は、室内親機２００Ｂ（例えば、画面Ｐ１に示した「おじいさんの家」）であっても良い。
【０１６２】
なお、上述した各バリエーションでは、室内親機２００Ａがスマートフォン６００を呼出す例について説明した。本開示はこれに限定されない。例えば、スマートフォン６００が室内親機２００Ａを呼び出しても良い。
【０１６３】
＜本実施の形態のまとめ＞
以上説明したように、本実施の形態におけるドアホンシステム１００において、建物の内部に配置される室内親機２００は、建物の内部を撮影するカメラ２１０と、カメラ２１０が撮影した画像を含むデータを通信相手に対して送信する通信部２１２を備える構成を採る。この構成により、家族の生活状況を外部から確認でき、利便性を向上させることができる。
【０１６４】
例えば、本実施の形態におけるドアホンシステム１００を用いると、夫婦とその子供のみが同居し、共に仕事に従事する夫婦が、留守番中の子供の様子を外部から確認できる。
【０１６５】
また、本実施の形態におけるドアホンシステム１００を用いると、夫婦世帯と祖父母世帯が遠方で離れて生活しているような場合に、夫婦世帯が、祖父母世帯の様子を外部から確認できたり、あるいは、祖父母世帯とのコミュニケーションを簡易に図ったりすることができる。
【０１６６】
本開示はソフトウェア、ハードウェア、又は、ハードウェアと連携したソフトウェアで実現することが可能である。
【０１６７】
上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。
【０１６８】
集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１６９】
本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１７０】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【産業上の利用可能性】
【０１７１】
本開示は、ドアホンシステムとして有用である。
【符号の説明】
【０１７２】
１００  ドアホンシステム
２００  室内親機
２０１、３０１  マイク
２０２、３０２  スピーカ
２０３、３０３  音声処理部
２０４  表示部
２０５、３０５  操作部
２０６  外部メモリ接続部
２０７、３０８  ドアホンインタフェース
２０８、３１１  ＡＭ信号変復調部
２０９  ＦＭ信号復調部
２１０、３０６  カメラ
２１１、３０７  画像処理部
２１２  通信部
２１３  外部入出力インタフェース
２１４、３１２  制御部
２１５、３１３  記憶部
２１６  親機電源部
３００  玄関子機
３０４  照明部
３０９  着信検出回路
３１０  ＦＭ信号変調部
３１４  電源部
３１５  バッテリ
３１６  照度検知部
４００  無線ルータ
５００  公共網
６００  スマートフォン
７００  センサ
【図１】
2019146234.tif 000003
【図２】
2019146234.tif 000004
【図３】
2019146234.tif 000005
【図４】
2019146234.tif 000006
【図５】
2019146234.tif 000007
【図６】
2019146234.tif 000008